(57)【要約】【課題】ガスセンサーが装着された構造物を有する電子装置を提供する。【解決手段】本発明の多様な実施形態による電子装置は、ホールが形成されたハウジングと、ホールを介して外部と通じるようにハウジング内部に設置されたオーディオ装置、ガスセンサーと、ハウジング内部に位置した近接センサーと、ハウジング内部に位置した無線通信モジュールと、ハウジング内部に位置したプロセッサと、を含み、プロセッサは、ガスセンサーを用いて外部空気の特定成分に係るデータを獲得し、近接センサーを用いてユーザの近接通話を開始する動作を認識し、ガスセンサーが近接通話の開始動作が認識される前に獲得したデータ又は近接通話の終了動作が認識された後に獲得したデータのうちの少なくとも一つに基づいて、外部空気の清浄度を計算するように構成される。【選択図】図４
2019103145.tif 000002
【特許請求の範囲】
【請求項１】
電子装置であって、
ホールが形成されたハウジングと、
前記ホールを介して外部と通じるように前記ハウジング内部に設置されたオーディオ装置と、
前記ホールを介して外部と通じるように前記ハウジング内部に設置されたガスセンサーと、
前記ハウジング内部に位置した近接センサーと、
前記ハウジング内部に位置した無線通信モジュールと、
前記ハウジング内部に位置し、前記オーディオ装置、前記ガスセンサー、前記近接センサー及び前記無線通信モジュールと電気的に接続されたプロセッサと、を含み、
前記プロセッサは、
前記ガスセンサーを用いて外部空気の特定成分に係るデータを獲得し、
前記近接センサーを用いてユーザの近接通話を開始する動作を認識し、
前記ガスセンサーが前記近接通話の開始動作が認識される前に獲得したデータ又は前記近接通話の終了動作が認識された後に獲得したデータのうちの少なくとも一つに基づいて、外部空気の清浄度を計算するように構成された、ことを特徴とする電子装置。
【請求項２】
前記オーディオ装置はマイクを含み、
前記ハウジングは第１方向に向かう第１表面と、前記第１方向と反対である第２方向に向かう第２表面と、及び前記第１表面と前記第２表面の間の空間の少なくとも一部を取り囲む構造物と、を含み、
前記ホールは、前記構造物の側面に形成された外部オープニングと、前記構造物の後面に形成された第１内部オープニング及び第２内部オープニングと、前記外部オープニングから前記第１内部オープニング及び前記第２内部オープニングに延長された通路と、を含み、
前記マイクは、前記第１内部オープニングを介して前記マイクのオープニングに空気が通じるように、前記構造物の後面に配置され、
前記ガスセンサーは、前記第２内部オープニングを介して前記ガスセンサーのオープニングに空気が通じるように、前記構造物の後面に配置された、ことを特徴とする請求項１に記載の電子装置。
【請求項３】
前記第１内部オープニング及び前記第２内部オープニングを介して前記空間に異物質が流入されることを遮断するための付着部材をさらに含み、前記付着部材が前記第１内部オープニング及び前記第２内部オープニング周辺に付着される、ことを特徴とする請求項２に記載の電子装置。
【請求項４】
前記マイクのオープニングに付着された第１防水膜と前記ガスセンサーのオープニングに付着された第２防水膜をさらに含む、ことを特徴とする請求項２に記載の電子装置。
【請求項５】
前記プロセッサは、前記マイクを介して外部から音を獲得する場合、前記ガスセンサーを駆動するように構成された、ことを特徴とする請求項２に記載の電子装置。
【請求項６】
前記プロセッサに電気的に接続されたディスプレーをさらに含み、
前記プロセッサは前記計算された清浄度に係る情報を前記ディスプレー又は前記無線通信モジュールのうちの少なくとも一つを介して外部に出力するように構成された、ことを特徴とする請求項１に記載の電子装置。
【請求項７】
前記プロセッサは通話に係るイベントの発生に反応して前記ガスセンサーを駆動するように構成された、ことを特徴とする請求項１に記載の電子装置。
【請求項８】
前記オーディオ装置はレシーバーを含み、
前記ハウジングは第１方向に向かう第１表面と、前記第１方向と反対である第２方向に向かう第２表面と、及び前記第１表面及び前記第２表面間の空間の少なくとも一部を取り囲む構造物と、を含み、
前記ホールは、前記構造物の前面に形成された外部オープニングと、前記構造物の後面に形成された第１内部オープニング及び第２内部オープニングと、前記外部オープニングから前記第１内部オープニング及び前記第２内部オープニングに延長された通路と、を含み、
前記レシーバーは、前記第１内部オープニングを介して前記レシーバーのオープニングに空気が通じるように、前記構造物の後面に配置され、
前記ガスセンサーは、前記第２内部オープニングを介して前記ガスセンサーのオープニングに空気が通じるように、前記構造物の後面に配置された、ことを特徴とする請求項１に記載の電子装置。
【請求項９】
前記第１内部オープニング及び前記第２内部オープニングを介して前記空間に異物質が流入されることを遮断するための付着部材をさらに含み、前記付着部材が前記第１内部オープニング及び前記第２内部オープニング周辺に付着される、ことを特徴とする請求項８に記載の電子装置。
【請求項１０】
前記レシーバーのオープニングに付着された第１防水幕と前記ガスセンサーのオープニングに付着された第２防水膜をさらに含む、ことを特徴とする請求項８に記載の電子装置。
【請求項１１】
前記プロセッサは前記レシーバーが駆動されると、前記ガスセンサーを駆動するように構成された、ことを特徴とする請求項８に記載の電子装置。
【請求項１２】
前記プロセッサは、ガス測定開始を触発させるイベントの発生に反応し、そして前記レシーバーが駆動していなければ、超音波を出力するように前記レシーバーを制御するように構成された、ことを特徴とする請求項１１に記載の電子装置。
【請求項１３】
前記プロセッサは、前記無線通信モジュールを介して獲得された位置情報が指定された場所に対応する場合、前記ガスセンサーを駆動するように構成された、ことを特徴とする請求項１１に記載の電子装置。
【請求項１４】
前記プロセッサに電気的に接続されたディスプレーをさらに含み、
前記プロセッサは前記計算された清浄度に係る情報を前記ディスプレー又は前記無線通信モジュールのうちの少なくとも一つを介して外部に出力するように構成された、ことを特徴とする請求項１１に記載の電子装置。
【請求項１５】
前記プロセッサは、外部空気の特定成分に係るデータを獲得するように前記ガスセンサーを制御し、前記無線通信モジュールを介して外部装置と通信するうちに、前記近接センサーから獲得されたデータに少なくとも基づいて、ユーザの近接通話を開始する動作を認識するように構成された、ことを特徴とする請求項１に記載の電子装置。
【請求項１６】
電子装置であって、
ホールが形成されたハウジングと、
前記ホールを介して外部と通じるように前記ハウジング内部に設置されたマイクと、
前記ホールを介して外部と通じるように前記ハウジング内部に設置されたガスセンサーと、
前記ハウジング内部に位置した近接センサーと、
前記ハウジング内部に位置した無線通信モジュールと、
前記ハウジング内部に位置し、前記マイク、前記ガスセンサー、前記近接センサー及び前記無線通信モジュールと電気的に接続されたプロセッサと、を含み、
前記プロセッサは、
前記無線通信モジュールを介して外部装置と通信するうちに、前記近接センサーから獲得されたデータに少なくとも基づいて、ユーザの近接通話を開始する動作を認識し、
前記近接通話の開始動作が認識された後に前記ガスセンサーが獲得したデータに少なくとも基づいて、ユーザの健康状態を測定するように構成された、ことを特徴とする電子装置。
【請求項１７】
前記プロセッサは、前記ガスセンサーが前記近接通話の開始動作が認識された後、そして前記近接通話の終了動作が認識される前に獲得したデータに基づいて、ユーザの健康状態を測定するように構成された、ことを特徴とする請求項１６に記載の電子装置。
【請求項１８】
電子装置を動作させる方法であって、
外部空気の特定成分に係るデータを、前記電子装置のガスセンサーによって、獲得する動作と、
前記電子装置の無線通信モジュールを介して外部装置と通信するうちに、前記電子装置のプロセッサによって、前記電子装置の近接センサーから獲得されたデータに少なくとも基づいて、ユーザの近接通話を開始する動作を認識する動作と、
前記プロセッサによって、前記ガスセンサーが前記近接通話の開始動作が認識される前に獲得したデータ又は前記近接通話の終了動作が認識された後に獲得したデータのうちの少なくとも一つに基づいて、外部空気の清浄度を計算する動作と、を含む、電子装置を動作させる方法。
【請求項１９】
電子装置を動作させる方法であって、
前記電子装置の無線通信モジュールを介して外部装置と通信するうちに、前記電子装置のプロセッサによって、前記電子装置の近接センサーから獲得されたデータに少なくとも基づいて、ユーザの近接通話を開始する動作と、
前記プロセッサによって、前記電子装置のガスセンサーが前記近接通話の開始動作が認識された後に獲得したデータに少なくとも基づいて、ユーザの健康状態を測定する動作と、を含む、電子装置を動作させる方法。
【請求項２０】
前記ユーザの健康状態を測定する動作は、
前記プロセッサによって、前記ガスセンサーが前記近接通話の開始動作が認識された後、そして前記近接通話の終了動作が認識される前に獲得したデータに基づいて、ユーザの健康状態を測定する動作を含む、ことを特徴とする請求項１９に記載の電子装置を動作させる方法。
【発明の詳細な説明】
【技術分野】
【０００１】
本発明は、電子装置及び電子装置を動作させる方法に係り、より詳しくは、外部空気の成分分析のためのガスセンサーが装着された構造物を有する電子装置及びその電子装置を動作させる方法に関する。
【背景技術】
【０００２】
空気清浄度の測定は、特定機関で指定された限定された場所で行われている。ところが、近年空気清浄度の重要度が高い趨勢で、これによりモバイル電子装置（例えば、スマートフォン）にガスセンサーが搭載される。
【先行技術文献】
【特許文献】
【０００３】
【特許文献１】米国特許出願公開第２０１７／０１３０９８１号
【特許文献２】特許第５３１６３８１号公報
【発明の概要】
【発明が解決しようとする課題】
【０００４】
ガスセンサーを電子装置に搭載する場合、外部と直接接続のためのホールが必要である。ところが、最近モバイル電子装置のデザインは外部に形成されたホールを減らす趨勢である。
本発明の多様な実施形態は、電子装置においてガスセンサーが異なる電子部品（レシーバー又はマイク）と共にホールを共有するようになった構造物を提案する。また、本発明の多様な実施形態は、ガスセンサーを介して獲得された情報に基づいて機能を実行するように構成された電子装置を提案する。
【課題を解決するための手段】
【０００５】
本発明の多様な実施形態による電子装置は、ホールが形成されたハウジングと、前記ホールを介して外部と通じるように前記ハウジング内部に設置されたオーディオ装置と、前記ホールを介して外部と通じるように前記ハウジング内部に設置されたガスセンサーと、前記ハウジング内部に位置した近接センサーと、前記ハウジング内部に位置した無線通信モジュールと、ハウジング内部に位置し、前記オーディオ装置、前記ガスセンサー、前記近接センサー及び前記無線通信モジュールと電気的に接続されたプロセッサと、を含み、前記プロセッサは、前記ガスセンサーを用いて外部空気の特定成分に係るデータを獲得し、前記近接センサーを用いてユーザの近接通話を開始する動作を認識し、前記ガスセンサーが前記近接通話の開始動作が認識される前に獲得したデータ又は前記近接通話の終了動作が認識された後に獲得したデータのうちの少なくとも一つに基づいて、外部空気の清浄度を計算するように構成される。
【０００６】
本発明の多様な実施形態による電子装置は、ホールが形成されたハウジングと、前記ホールを介して外部と通じるように前記ハウジング内部に設置されたマイクと、前記ホールを介して外部と通じるように前記ハウジング内部に設置されたガスセンサーと、前記ハウジング内部に位置した近接センサーと、前記ハウジング内部に位置した無線通信モジュールと、前記ハウジング内部に位置し、前記マイク、前記ガスセンサー、前記近接センサー及び前記無線通信モジュールと電気的に接続されたプロセッサと、を含み、前記プロセッサは，前記無線通信モジュールを介して外部装置と通信するうちに、前記近接センサーから獲得されたデータに少なくとも基づいて、ユーザの近接通話を開始する動作を認識し、前記近接通話の開始動作が認識された後に前記ガスセンサーが獲得したデータに少なくとも基づいて、ユーザの健康状態を測定するように構成される。
【０００７】
本発明の多様な実施形態による電子装置を動作させる方法は、外部空気の特定成分に係るデータを、前記電子装置のガスセンサーによって、獲得する動作と、前記電子装置の無線通信モジュールを介して外部装置と通信するうちに、前記電子装置のプロセッサにより、前記電子装置の近接センサーから獲得されたデータに少なくとも基づいて、ユーザの近接通話を開始する動作を認識する動作と、プロセッサによって、前記ガスセンサーが前記近接通話の開始動作が認識される前に獲得したデータ又は前記近接通話の終了動作が認識された後に獲得したデータのうちの少なくとも一つに基づいて、外部空気の清浄度を計算する動作と、を含む。
【０００８】
本発明の多様な実施形態による電子装置を動作させる方法は、前記電子装置の無線通信モジュールを介して外部装置と通信するうちに、前記電子装置のプロセッサにより、前記電子装置の近接センサーから獲得されたデータに少なくとも基づいて、ユーザの近接通話を開始する動作と、前記プロセッサにより、前記電子装置のガスセンサーが前記近接通話の開始動作が認識された後に獲得したデータに少なくとも基づいて、ユーザの健康状態を測定する動作と、を含む。
【発明の効果】
【０００９】
本発明の多様な実施形態は、ガスセンサー用ホールを別途で備えず、他の用途（例えば、音波出力、外部音獲得）で使用されている既存のホールを介してガス測定が可能なモバイル電子装置を提供できる。また、本発明の多様な実施形態は、ガスセンサーを介して獲得された情報に基づいて機能を実行するように構成された電子装置を提供できる。
【図面の簡単な説明】
【００１０】
【図１】多様な実施形態におけるネットワーク環境内の電子装置のブロック図である。
【図２】多様な実施による、オーディオモジュールのブロック図である。
【図３】多様な実施形態によるプログラムのブロック図である。
【図４】一実施形態によるモバイル電子装置の前面の斜視図である。
【図５】図４の電子装置の後面の斜視図である。
【図６】図４の電子装置の上側面を示す図面である。
【図７】一実施形態によるモバイル電子装置の分解斜視図である。
【図８】多様な実施形態による、マイクとガスセンサーが装着された構造物の断面を示す図面である。
【図９】図８に示した構造物の一面を示す図面である。
【図１０】多様な実施形態による、レシーバーとガスセンサーが装着された構造物の前面を示す図面である。
【図１１】図１０の構造物でＡＡ’部分を切断して示す図面である。
【図１２】図１０の構造物でＢＢ’部分を切断して示す図面である。
【図１３】多様な実施形態による、レシーバーとガスセンサーが装着された構造物の断面を示す図面である。
【図１４】多様な実施形態による、ガスセンサーを有する電子装置の動作を説明するためのフローチャートである。
【図１５】多様な実施形態による、ガスセンサーを有する電子装置の動作を説明するためのフローチャートである。
【図１６】多様な実施形態による、マイクとガスセンサーの共用ホールを有する電子装置の動作を説明するためのフローチャートである。
【図１７】多様な実施形態による、レシーバーとガスセンサーの共用ホールを有する電子装置の動作を説明するためのフローチャートである。
【発明を実施するための形態】
【００１１】
多様な実施形態におけるネットワーク環境内の電子装置を示す。
図１は、多様な実施形態による、ネットワーク環境１００内の電子装置１０１のブロック図である。図１を参照すれば、ネットワーク環境１００において電子装置１０１は、第１ネットワーク１９８（例えば、近距離無線通信）を介して電子装置１０２と通信したり、又は第２ネットワーク１９９（例えば、遠距離無線通信）を介して電子装置１０４又はサーバー１０８と通信する。一実施形態によれば、電子装置１０１はサーバー１０８を介して電子装置１０４と通信する。一実施形態によれば、電子装置１０１はプロセッサ１２０、メモリー１３０、入力装置１５０、音響出力装置１５５、表示装置１６０、オーディオモジュール１７０、センサーモジュール１７６、インターフェース１７７、ハプティックモジュール１７９、カメラモジュール１８０、電力管理モジュール１８８、バッテリー１８９、通信モジュール１９０、加入者識別モジュール１９６、及びアンテナモジュール１９７を含む。ある実施形態では、電子装置１０１にはこの構成要素のうちの少なくとも一つ（例えば、表示装置１６０又はカメラモジュール１８０）が省略されたり、他の構成要素が追加される。ある実施形態では、例えば、表示装置１６０（例えば、ディスプレー）にエンベッディングされたセンサーモジュール１７６（例えば、指紋センサー、虹彩センサー、又は照度センサー）の場合のように一部の構成要素が統合されて具現される。
【００１２】
プロセッサ１２０は、例えば、ソフトウェア（例えば、プログラム１４０）を駆動してプロセッサ１２０に接続された電子装置１０１の少なくとも一つの他の構成要素（例えば、ハードウェア又はソフトウェア構成要素）を制御し、多様なデータ処理及び演算を実行する。プロセッサ１２０は、他の構成要素（例えば、センサーモジュール１７６又は通信モジュール１９０）から受信された命令又はデータを揮発性メモリー１３２にロードして処理し、結果データを非揮発性メモリー１３４に記憶する。一実施形態によれば、プロセッサ１２０は、メインプロセッサ１２１（例えば、中央処理装置又はアプリケーションプロセッサ）、及びこれとは独立的に操作され、追加的に、メインプロセッサ１２１より低電力を使用したり、又は指定された機能に特化された補助プロセッサ１２３（例えば、グラフィック処理装置、イメージシグナルプロセッサ、センサーハブプロセッサ、又はコミュニケーションプロセッサ）を含む。ここで、補助プロセッサ１２３はメインプロセッサ１２１と別個で、又はエンベッディングされて操作される。
【００１３】
このような場合、補助プロセッサ１２３は、例えば、メインプロセッサ１２１がインアクティブ（例えば、スリップ）状態にあるうちにメインプロセッサ１２１の代わり、又はメインプロセッサ１２１がアクティブ（例えば、アプリケーション実行）状態にあるうちにメインプロセッサ１２１と共に、電子装置１０１の構成要素のうちの少なくとも一つの構成要素（例えば、表示装置１６０、センサーモジュール１７６、又は通信モジュール１９０）に係る機能又は状態の少なくとも一部を制御する。一実施形態によれば、補助プロセッサ１２３（例えば、イメージシグナルプロセッサ又はコミュニケーションプロセッサ）は、機能的に関連ある他の構成要素（例えば、カメラモジュール１８０又は通信モジュール１９０）の一部構成要素として具現される。メモリー１３０は、電子装置１０１の少なくとも一つの構成要素（例えば、プロセッサ１２０又はセンサーモジュール１７６）によって用いられる多様なデータ、例えば、ソフトウェア（例えば、プログラム１４０）及び、これに係る命令に対する入力データ又は出力データを記憶する。メモリー１３０は、揮発性メモリー１３２又は非揮発性メモリー１３４を含む。
【００１４】
プログラム１４０は、メモリー１３０に記憶されるソフトウェアとして、例えば、オペレーティングシステム１４２、ミドルウェア１４４又はアプリケーション１４６を含む。
【００１５】
入力装置１５０は、電子装置１０１の構成要素（例えば、プロセッサ１２０）に用いられる命令又はデータを電子装置１０１の外部（例えば、ユーザ）から受信するための装置として、例えば、マイク、マウス、又はキーボードを含む。
【００１６】
音響出力装置１５５は、音響信号を電子装置１０１の外部に出力するための装置として、例えば、マルチメディア再生又は録音再生のように一般的な用途で用いられるスピーカーと電話受信専用で用いられるレシーバーを含む。一実施形態によれば、レシーバーはスピーカーと一体又は別度で形成される。
【００１７】
表示装置１６０は、電子装置１０１のユーザに情報を視覚的に提供するための装置として、例えば、ディスプレー、ホログラム装置、又はプロジェクター及び当該装置を制御するための制御回路を含む。一実施形態によれば、表示装置１６０はタッチ回路（ｔｏｕｃｈ  ｃｉｒｃｕｉｔｒｙ）又はタッチに対する圧力の強度を測定できる圧力センサーを含む。
【００１８】
オーディオモジュール１７０は、音と電気信号を双方向で変換させる。一実施形態によれば、オーディオモジュール１７０は、入力装置１５０を介して音を獲得したり、音響出力装置１５５、又は電子装置１０１と有線又は無線で接続された外部電子装置（例えば、電子装置１０２（例えば、スピーカー又はヘッドフォン））を介して音を出力する。
【００１９】
センサーモジュール１７６は、電子装置１０１の内部の作動状態（例えば、電力又は温度）、又は外部の環境状態に対応する電気信号又はデータ値を生成する。センサーモジュール１７６は、例えば、ジェスチャーセンサー、ジャイロセンサー、気圧センサー、マグネチックセンサー、加速度センサー、グリップセンサー、近接センサー、カラーセンサー、ＩＲ（ｉｎｆｒａｒｅｄ）センサー、生体センサー、温度センサー、湿度センサー、ガスセンサー（例えば、Ｅノーズ（ｅｌｅｃｔｒｏｎｉｃ  ｎｏｓｅ）又は照度センサーを含む。ある実施形態で複数のセンサー（例えば、温度センサー、湿度センサー、ガスセンサー）が一つのセンサーで統合される。
【００２０】
インターフェース１７７は、外部電子装置（例えば、電子装置１０２）と有線又は無線で接続する指定されたプロトコルをサポートする。一実施形態によれば、インターフェース１７７は、ＨＤＭＩ（登録商標）（ｈｉｇｈ  ｄｅｆｉｎｉｔｉｏｎ  ｍｕｌｔｉｍｅｄｉａ  ｉｎｔｅｒｆａｃｅ）、ＵＳＢ（ｕｎｉｖｅｒｓａｌ  ｓｅｒｉａｌ  ｂｕｓ）インターフェース、ＳＤカードインターフェース、又はオーディオインターフェースを含む。
【００２１】
接続端子１７８は、電子装置１０１と外部電子装置（例えば、電子装置１０２）を物理的に接続させるコネクター、例えば、ＨＤＭＩ（登録商標）コネクター、ＵＳＢコネクター、ＳＤカードコネクター、又はオーディオコネクター（例えば、ヘッドフォンコネクター）を含む。
【００２２】
ハプティックモジュール１７９は、電気的信号をユーザが触覚又は運動感覚を介して認知できる機械的な刺激（例えば、振動又は動き）又は電気的な刺激に変換する。ハプティックモジュール１７９は、例えば、モーター、圧電素子、又は電気刺激装置を含む。
【００２３】
カメラモジュール１８０は静止画像及び動画を撮影する。一実施形態によれば、カメラモジュール１８０は一つ以上のレンズ、イメージセンサー、イメージシグナルプロセッサ、又はフラッシュを含む。
【００２４】
電力管理モジュール１８８は、電子装置１０１に供給される電力を管理するためのモジュールであり、例えば、ＰＭＩＣ（ｐｏｗｅｒ  ｍａｎａｇｅｍｅｎｔ  ｉｎｔｅｇｒａｔｅｄ  ｃｉｒｃｕｉｔ）の少なくとも一部として構成される。
【００２５】
バッテリー１８９は、電子装置１０１の少なくとも一つの構成要素に電力を供給するための装置として、例えば、再充電不可能な１次電池、再充電可能な２次電池又は燃料電池を含む。
【００２６】
通信モジュール１９０は、電子装置１０１と外部電子装置（例えば、電子装置１０２、電子装置１０４、又はサーバー１０８）の間の有線又は無線通信チャンネルの樹立、及び樹立された通信チャンネルを通じる通信実行をサポートする。通信モジュール１９０は、プロセッサ１２０（例えば、アプリケーションプロセッサ）と独立的に操作される、有線通信又は無線通信をサポートする一つ以上のコミュニケーションプロセッサを含む。一実施形態によれば、通信モジュール１９０は、無線通信モジュール１９２（例えば、セルラー通信モジュール、近距離無線通信モジュール、又はＧＮＳＳ（ｇｌｏｂａｌ  ｎａｖｉｇａｔｉｏｎ  ｓａｔｅｌｌｉｔｅ  ｓｙｓｔｅｍ）通信モジュール）又は有線通信モジュール１９４（例えば、ＬＡＮ（ｌｏｃａｌ  ａｒｅａ  ｎｅｔｗｏｒｋ）通信モジュール、又は電力線通信モジュール）を含み、そのうちの該当する通信モジュールを用いて第１ネットワーク１９８（例えば、ブルートゥース（登録商標）、ＷｉＦｉ（登録商標）  ｄｉｒｅｃｔ又はＩｒＤＡ（ｉｎｆｒａｒｅｄ  ｄａｔａ  ａｓｓｏｃｉａｔｉｏｎ）のような近距離通信ネットワーク）又は第２ネットワーク１９９（例えば、セルラネットワーク、インターネット、又はコンピューターネットワーク（例えば、ＬＡＮ又はＷＡＮ）のような遠距離通信ネットワーク）を介して外部電子装置と通信する。上述した多くの種類の通信モジュール１９０は一つのチップで具現されたり、又はそれぞれ別途のチップで具現される。
【００２７】
一実施形態によれば、無線通信モジュール１９２は、加入者識別モジュール１９６に記憶されたユーザ情報を用いて通信ネットワーク内で電子装置１０１を区別及び認証する。
【００２８】
アンテナモジュール１９７は、信号又は電力を外部に送信するか、外部から受信するための一つ以上のアンテナを含む。一実施形態によれば、通信モジュール１９０（例えば、無線通信モジュール１９２）は通信方式に適合したアンテナを介して信号を外部電子装置に送信するか、外部電子装置から受信する。
【００２９】
前記構成要素のうちの一部構成要素は周辺機器間の通信方式（例えば、バス、ＧＰＩＯ（ｇｅｎｅｒａｌ  ｐｕｒｐｏｓｅ  ｉｎｐｕｔ／ｏｕｔｐｕｔ）、ＳＰＩ（ｓｅｒｉａｌ  ｐｅｒｉｐｈｅｒａｌ  ｉｎｔｅｒｆａｃｅ）、又はＭＩＰＩ（ｍｏｂｉｌｅ  ｉｎｄｕｓｔｒｙ  ｐｒｏｃｅｓｓｏｒ  ｉｎｔｅｒｆａｃｅ））を介して互いに接続されて信号（例えば、命令又はデータ）を相互間に交換する。
【００３０】
一実施形態によれば、命令又はデータは第２ネットワーク１９９に接続されたサーバー１０８を介して電子装置１０１と外部の電子装置１０４の間に送信又は受信される。電子装置１０２、１０４のそれぞれは電子装置１０１と同一又は相違する種類の装置であれば良い。一実施形態によれば、電子装置１０１で実行される動作の全部又は一部は他の一つ又は複数の外部電子装置で実行される。一実施形態によれば、電子装置１０１が機能やサービスを自動で又はリクエストによって実行しなければならない場合に、電子装置１０１は機能又はサービスを自体的に実行させる代りに、又は追加的にそれと連関された少なくとも一部機能を外部電子装置にリクエストする。前記リクエストを受信した外部電子装置はリクエストされた機能又は追加機能を実行し、その結果を電子装置１０１へ伝達する。電子装置１０１は受信された結果をそのまま又は追加的に処理してリクエストされた機能やサービスを提供する。このために、例えば、クラウドコンピューティング、分散コンピューティング、又はクライアント−サーバーコンピューティング技術が用いられる。
【００３１】
図２は、多様な実施による、オーディオモジュール１７０のブロック図（２００）である。図２を参照すれば、オーディオモジュール１７０は、例えば、オーディオ入力インターフェース２１０、オーディオ入力ミキサー２２０、ＡＤＣ（ａｎａｌｏｇ  ｔｏ  ｄｉｇｉｔａｌ  ｃｏｎｖｅｒｔｅｒ）２３０、オーディオ信号処理機２４０、ＤＡＣ（ｄｉｇｉｔａｌ  ｔｏ  ａｎａｌｏｇ  ｃｏｎｖｅｒｔｅｒ）２５０、オーディオ出力ミキサー２６０、又はオーディオ出力インターフェース２７０を含む。
【００３２】
オーディオ入力インターフェース２１０は、入力装置１５０の一部として又は電子装置１０１と別に構成されたマイク（例えば、ダイナミックマイク、コンデンサーマイク、又はピエゾマイク）を介して電子装置１０１の外部から獲得した音に対応するオーディオ信号を受信する。例えば、外部の電子装置１０２（例えば、ヘッドセット又はマイク）からオーディオ信号を獲得する場合、オーディオ入力インターフェース２１０は前記外部の電子装置１０２と接続端子１７８を介して有線で、又は無線通信モジュール１９２を介して無線で（例えば、Ｂｌｕｅｔｏｏｔｈ（登録商標）通信）接続されてオーディオ信号を受信する。一実施形態によれば、オーディオ入力インターフェース２１０は前記外部の電子装置１０２から獲得されるオーディオ信号に係る制御信号（例えば、入力ボタンを用いたボリューム調整信号）を受信する。オーディオ入力インターフェース２１０は複数のオーディオ入力チャンネルを含み、それぞれのオーディオ入力チャンネル別で他のオーディオ信号を受信する。一実施形態によれば、追加的に、オーディオ入力インターフェース２１０は電子装置１０１の他の構成要素（例えば、プロセッサ１２０又はメモリー１３０）からオーディオ信号が入力される。
【００３３】
オーディオ入力ミキサー２２０は、入力された複数のオーディオ信号を少なくとも一つのオーディオ信号に合成する。一実施形態によれば、オーディオ入力ミキサー２２０は、オーディオ入力インターフェース２１０を介して入力された複数のアナログオーディオ信号を少なくとも一つのアナログオーディオ信号に合成する。
【００３４】
ＡＤＣ２３０は、アナログオーディオ信号をデジタルオーディオ信号に変換する。一実施形態によれば、ＡＤＣ２３０はオーディオ入力インターフェース２１０を介して受信されたアナログオーディオ信号、又は追加的にオーディオ入力ミキサー２２０を介して合成されたアナログオーディオ信号をデジタルオーディオ信号に変換する。
【００３５】
オーディオ信号処理機２４０は、ＡＤＣ２３０を介して入力されたデジタルオーディオ信号、又は電子装置１０１の他の構成要素から受信されたデジタルオーディオ信号に対して多様な処理を実行する。例えば、オーディオ信号処理機２４０は一つ以上のデジタルオーディオ信号に対してサンプリングの割合変更、一つ以上のフィルター適用、補間（ｉｎｔｅｒｐｏｌａｔｉｏｎ）処理、増幅又は減衰（例えば、一部周波数帯域又は全周波数帯域の増幅又は減衰）処理、ノイズ処理（例えば、ノイズ又はエコー減衰）、チャンネル変更（例えば、モノ及びステレオ間の転換）、合成（ｍｉｘｉｎｇ）、又は指定された信号抽出を実行する。一実施形態によれば、オーディオ信号処理機２４０の少なくとも一部機能はイコライザー（ｅｑｕａｌｉｚｅｒ）の形態で具現される。
【００３６】
ＤＡＣ２５０は、デジタルオーディオ信号をアナログオーディオ信号に変換する。一実施形態によれば、ＤＡＣ２５０は、オーディオ信号処理機２４０によって処理されたデジタルオーディオ信号、又は電子装置１０１の他の構成要素から獲得したデジタルオーディオ信号をアナログオーディオ信号に変換する。
【００３７】
オーディオ出力ミキサー２６０は、出力する複数のオーディオ信号を少なくとも一つのオーディオ信号に合成する。一実施形態によれば、オーディオ出力ミキサー２６０はＤＡＣ２５０を介してアナログに転換されたオーディオ信号及び他のアナログオーディオ信号（例えば、オーディオ入力インターフェース２１０を介して受信したアナログオーディオ信号）を少なくとも一つのアナログオーディオ信号に合成する。
【００３８】
オーディオ出力インターフェース２７０は、ＤＡＣ２５０を介して変換されたアナログオーディオ信号、又は追加的にオーディオ出力ミキサー２６０によって合成されたアナログオーディオ信号を音響出力装置１５５（例えば、スピーカー（例えば、ｄｙｎａｍｉｃ  ｄｒｉｖｅｒ又はｂａｌａｎｃｅｄ  ａｒｍａｔｕｒｅ  ｄｒｉｖｅｒ）、又はレシーバー）を介して電子装置１０１の外部に出力する。一実施形態によれば、音響出力装置１５５は複数のスピーカーを含み、オーディオ出力インターフェース２７０は前記複数のスピーカーのうちの少なくとも一部スピーカーを介して互いに異なる複数のチャンネル（例えば、ステレオ、又は５．１チャンネル）を有するオーディオ信号を出力する。一実施形態によれば、オーディオ出力インターフェース２７０は外部の電子装置１０２（例えば、外部スピーカー又はヘッドセット）と接続端子１７８を介して有線で、又は無線通信モジュール１９２を介して無線で接続されてオーディオ信号を出力する。
【００３９】
一実施形態によれば、オーディオモジュール１７０はオーディオ入力ミキサー２２０又はオーディオ出力ミキサー２６０を別に備えず、オーディオ信号処理機２４０の少なくとも一部機能として複数のデジタルオーディオ信号を合成して少なくとも一つのデジタルオーディオ信号を生成する。
【００４０】
一実施形態によれば、オーディオモジュール１７０はオーディオ入力インターフェース２１０を介して入力されたアナログオーディオ信号、又はオーディオ出力インターフェース２７０を介して出力されるオーディオ信号を増幅するオーディオ増幅器（図示せず）（例えば、スピーカー増幅回路）を含む。一実施形態によれば、前記オーディオ増幅器はオーディオモジュール１７０と別途のモジュールから構成される。
【００４１】
図３は、多様な実施形態によるプログラム１４０のブロック図（３００）である。一実施形態によれば、プログラム１４０は電子装置１０１の一つ以上のリソースを制御するためのオペレーティングシステム１４２、ミドルウェア１４４、又はオペレーティングシステム１４２上で実行可能なアプリケーション１４６を含む。オペレーティングシステム１４２は、例えば、ＡｎｄｒｏｉｄＴＭ、ｉＯＳＴＭ、ＷｉｎｄｏｗｓＴＭ、ＳｙｍｂｉａｎＴＭ、ＴｉｚｅｎＴＭ、又はＢａｄａＴＭを含む。プログラム１４０のうちの少なくとも一部プログラムは、例えば、製造時に電子装置１０１にフリーロードされるか、又はユーザの使用環境で外部電子装置（例えば、電子装置１０２又は１０４、又はサーバー１０８）からダウンロードされたり更新される。
【００４２】
オペレーティングシステム１４２は、電子装置１０１のシステムリソース（例えば、プロセス、メモリー、又はパワー）を制御（例えば、割り当て又は回収）する。オペレーティングシステム１４２は、追加的に、電子装置１０１の他のハードウェアデバイス、例えば、入力装置１５０、音響出力装置１５５、表示装置１６０、オーディオモジュール１７０、センサーモジュール１７６、インターフェース１７７、ハプティックモジュール１７９、カメラモジュール１８０、電力管理モジュール１８８、バッテリー１８９、通信モジュール１９０、加入者識別モジュール１９６、又はアンテナモジュール１９７を駆動するための一つ以上のドライバープログラムを含む。
【００４３】
ミドルウェア１４４は、アプリケーション１４６が電子装置１０１の一つ以上のリソースが提供する機能又は情報を用いるように多様な機能をアプリケーション１４６に提供する。ミドルウェア１４４は、例えば、アプリケーションマネージャー３０１、ウィンドウマネージャー３０３、マルチメディアマネージャー３０５、リソースマネージャー３０７、パワーマネージャー３０９、データベースマネージャー３１１、パッケージマネージャー３１３、コネクティビティマネージャー３１５、ノーティフィケーションマネージャー３１７、ロケーションマネージャー３１９、グラフィックマネージャー３２１、セキュリティマネージャー３２３、通話マネージャー３２５、又は音声認識マネージャー３２７を含む。アプリケーションマネージャー３０１は、例えば、アプリケーション１４６の周期を管理する。ウィンドウマネージャー３０３は、例えば、画面で用いられるＧＵＩリソースを管理する。マルチメディアマネージャー３０５は、例えば、メディアファイルの再生に必要なフォーマットを把握し、当該フォーマットに当たるコーデックを用いてメディアファイルのエンコーディング又はデコーディングを実行する。リソースマネージャー３０７は、例えば、アプリケーション１４６のソースコード又はメモリーの空間を管理する。パワーマネージャー３０９は、例えば、バッテリーの容量、温度又はパワーを管理し、この内、当該情報を用いて電子装置１０１の動作に必要な電力情報を決定又は提供する。一実施形態によれば、パワーマネージャー３０９はバイアス（ＢＩＯＳ：ｂａｓｉｃ  ｉｎｐｕｔ／ｏｕｔｐｕｔ  ｓｙｓｔｅｍ）と連動する。
【００４４】
データベースマネージャー３１１は、例えば、アプリケーション１４６で用いられるデータベースを生成、検索、又は変更する。パッケージマネージャー３１３は、例えば、パッケージファイルの形態で配布されるアプリケーションの設置又は更新を管理する。コネクティビティマネージャー３１５は、例えば、電子装置１０１と外部電子装置間の無線又は有線接続を管理する。ノーティフィケーションマネージャー３１７は、例えば、発生したイベント（例えば、通話、メッセージ、又はアラーム）をユーザに知らせるための機能を提供する。ロケーションマネージャー３１９は、例えば、電子装置１０１の位置情報を管理する。グラフィックマネージャー３２１は、例えば、ユーザに提供されるグラフィック効果又はこれに係るユーザインターフェースを管理する。セキュリティマネージャー３２３は、例えば、システム保安又はユーザ認証を提供する。通話（ｔｅｌｅｐｈｏｎｙ）マネージャー３２５は、例えば、電子装置１０１の音声通話又は映像通話機能を管理する。音声認識マネージャー３２７は、例えば、ユーザの音声データをサーバー１０８に送信し、当該音声データに基づいて電子装置１０１で行われる機能に対応する命令語（ｃｏｍｍａｎｄ）又は当該音声データに基づいて変換された文字データを受信する。一実施形態によれば、ミドルウェア１４４は動的に既存の構成要素を一部削除したり新しい構成要素を追加する。一実施形態によれば、ミドルウェア１４４の少なくとも一部はオペレーティングシステム１４２の一部に含まれるか、又はオペレーティングシステム１４２とは別途のソフトウェアで具現される。
【００４５】
アプリケーション１４６は、例えば、ホーム３５１、ダイヤラー３５３、ＳＭＳ／ＭＭＳ３５５、ＩＭ（ｉｎｓｔａｎｔ  ｍｅｓｓａｇｅ）３５７、ブラウザー３５９、カメラ３６１、アラーム３６３、コンタクト３６５、音声認識３６７、電子メール３６９、カレンダー３７１、メディアプレーヤー３７３、アルバム３７５、ウォッチ３７７、ヘルス３７９（例えば、運動量又は血糖などを測定）、又は環境情報（３８１（例えば、気圧、湿度、又は温度情報）アプリケーションを含む。一実施形態によれば、アプリケーション１４６は電子装置１０１と外部電子装置間の情報交換をサポートする情報交換アプリケーション（図示せず）をさらに含む。情報交換アプリケーションは、例えば、外部電子装置に指定された情報（例えば、通話、メッセージ、又はアラーム）を伝達するためのノーティフィケーションリレーアプリケーション、又は外部電子装置を管理するための装置管理アプリケーションを含む。ノーティフィケーションリレーアプリケーションは、例えば、電子装置１０１の他のアプリケーション（例えば、電子メールアプリケーション３６９）で発生したイベント（例えば、メール受信）に対応するお知らせ情報を外部電子装置へ伝達するか、又は外部電子装置からお知らせ情報を受信して電子装置１０１のユーザに提供する。装置管理アプリケーションは、例えば、電子装置１０１と通信する外部電子装置又はその一部構成要素（例えば、表示装置１６０又はカメラモジュール１８０）のパワー（例えば、ターン−オン又はターン−オフ）又は機能（例えば、表示装置１６０又はカメラモジュール１８０の明るさ、解像度、又はフォーカス）を制御する。装置管理アプリケーションは、追加的に、外部電子装置で動作するアプリケーションの設置、削除、又は更新をサポートする。
【００４６】
本明細書に開示された多様な実施形態による電子装置は多様な形態の装置となる。電子装置は、例えば、携帯用通信装置（例えば、スマートフォン）、コンピューター装置、携帯用マルチメディア装置、携帯用医療機器、カメラ、ウェアラブル装置、又は家電装置のうちの少なくとも一つを含む。本明細書の実施形態による電子装置は前述した機器に限定されない。
【００４７】
本明細書の多様な実施形態及びここに用いた用語は、本明細書に記載された技術を特定の実施形態に限定しようとするものではなく、当該実施形態の多様な変更、均等物、及び／又は代替物を含むと理解されなければならない。図面の説明と関連して類似の構成要素に対しては類似の参照符号を用いる。単数の表現は文脈上、明白に意図しない限り、複数の表現を含む。本明細書において、‘‘Ａ又はＢ’’、‘‘Ａ及び／又はＢのうちの少なくとも一つ’’、‘‘Ａ、Ｂ又はＣ’’又は‘‘Ａ、Ｂ及び／又はＣのうちの少なくとも一つ’’などの表現は、共に羅列された項目のすべての可能な組み合わせを含む。‘‘第１’’、‘‘第２’’、‘‘一番目’’又は‘‘二番目’’などの表現は当該構成要素を、順序又は重要度に構わずに修飾し、一つの構成要素を他の構成要素と区分するために用いるだけで当該構成要素を限定しない。どんな（例えば、第１）構成要素が異なる（例えば、第２）構成要素に‘‘（機能的又は通信的に）接続され’’たり‘‘接続されて’’いると言及する時には、前記どんな構成要素が前記他の構成要素に直接的に接続されたり、他の構成要素（例えば、第３構成要素）を介して接続される。
【００４８】
本明細書で用いる用語‘‘モジュール’’は、ハードウェア、ソフトウェア又はファームウエアから構成されたユニットを含み、例えば、ロジック、論理ブロック、部品、又は回路などの用語と相互互換的に用いる。モジュールは、一体で構成された部品又は一つ以上の機能を実行する最小単位又はその一部となる。例えば、モジュールはＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）から構成される。
【００４９】
本明細書の多様な実施形態は機器（ｍａｃｈｉｎｅ）（例えば、コンピューター）で読み取り可能な記憶媒体（ｍａｃｈｉｎｅ−ｒｅａｄａｂｌｅ  ｓｔｏｒａｇｅ  ｍｅｄｉａ）（例えば、内装メモリー１３６又は外装メモリー１３８）に記憶された命令語（又は、インストラクション（ｉｎｓｔｒｕｃｔｉｏｎ））を含むソフトウェア（例えば、プログラム１４０）で具現される。機器は、記憶媒体から記憶された命令語を呼び出し、呼び出した命令語によって動作が可能な装置として、開示した実施形態による電子装置（例えば、電子装置１０１）を含む。前記命令がプロセッサ（例えば、プロセッサ１２０）によって実行される場合、プロセッサが直接、又は前記プロセッサの制御下に他の構成要素を用いて前記命令に該当する機能を実行する。命令はコンパイラー又はインタプリターによって生成又は実行されるコードを含む。機器で読める記憶媒体は、非一時的（ｎｏｎ−ｔｒａｎｓｉｔｏｒｙ）記憶媒体の形態で提供される。ここで、‘非一時的’は記憶媒体が信号（ｓｉｇｎａｌ）を含まず実在（ｔａｎｇｉｂｌｅ）することを意味するだけで、データが記憶媒体に半永久的又は臨時的に記憶されることを区分しない。
【００５０】
一実施形態によれば、本明細書に開示する多様な実施形態による方法は、コンピュータープログラム製品（ｃｏｍｐｕｔｅｒ  ｐｒｏｇｒａｍ  ｐｒｏｄｕｃｔ）に含まれて提供される。コンピュータープログラム製品は商品として販売者及び購買者間で取り引きされる。コンピュータープログラム製品は機器に読める記録媒体（例えば、ｃｏｍｐａｃｔ  ｄｉｓｃ  ｒｅａｄ  ｏｎｌｙ  ｍｅｍｏｒｙ（ＣＤ−ＲＯＭ））の形態で、又はアプリケーションストア（例えば、プレーストア（登録商標））を介してオンラインで配布される。オンライン配布の場合に、コンピュータープログラム製品の少なくとも一部は製造社のサーバー、アプリケーションストアのサーバー、又は中継サーバーのメモリーのような記憶媒体に少なくとも一時記憶されるか、臨時的に生成される。
【００５１】
多様な実施形態による構成要素（例えば、モジュール又はプログラム）のそれぞれは単数又は複数の個体で構成され、前述した当該サーブ構成要素のうちの一部サーブ構成要素が省略されるか、又は他のサブ構成要素が多様な実施形態にさらに含まれる。追加的に、一部構成要素（例えば、モジュール又はプログラム）は一つの個体に統合され、統合される以前のそれぞれの当該構成要素によって行われる機能を同一又は類似に実行する。多様な実施形態による、モジュール、プログラム又は他の構成要素によって実行される動作は順次、並列的、繰り返し的又はヒューリスティックするように実行されるか、少なくとも一部動作が他の手順で実行されるか、省略されるか、又は他の動作が追加される。
【００５２】
図４は、一実施形態によるモバイル電子装置の前面の斜視図で、図５は図４の電子装置の後面の斜視図で、図６は図４の電子装置の上側面を示す図面である。
【００５３】
図４、図５及び図６を参照すれば、一実施形態による電子装置４００（例えば、図１の電子装置１０１）は、第１面（又は前面）４１０Ａ、第２面（又は後面）４１０Ｂ、及び第１面４１０Ａ及び第２面４１０Ｂの間の空間を取り囲む側面４１０Ｃを含むハウジング４１０を含む。他の実施形態（図示せず）では、ハウジングは、図４乃至６の第１面４１０Ａ、第２面４１０Ｂ及び側面４１０Ｃのうちの一部を形成する構造物（ｓｔｒｕｃｔｕｒｅ）を指すこともできる。一実施形態によれば、第１面４１０Ａは少なくとも一部分が実質的に透明な前面プレート４０２（例えば、多様なコーティングレイヤーを含むガラスプレート、又はポリマープレート）によって形成される。第２面４１０Ｂは実質的に不透明な後面プレート４１１によって形成される。後面プレート４１１は、例えば、コーティング又は着色されたガラス、セラミックス、ポリマー、金属（例えば、アルミニウム、ステンレススチール（ＳＴＳ）、又はマグネシウム）、又は前記物質のうちの少なくとも２つの組み合わせによって形成される。側面４１０Ｃは、前面プレート４０２及び後面プレート４１１と結合し、金属及び／又はポリマーを含む側面ベゼル構造物（又は‘‘側面部材’’）４１８によって形成される。ある実施形態では、後面プレート４１１及び側面ベゼル構造物４１８は一体に形成されて同一物質（例えば、アルミニウムのような金属物質）を含む。
【００５４】
一実施形態によれば、電子装置４００は、ディスプレー４０１、オーディオモジュール４０７、４１４、センサーモジュール４０４、４１９、カメラモジュール４０５、４１２、４１３、キー入力装置４１５、４１６、４１７、インジケーター４０６、及びコネクターホール４０８、４０９のうちの少なくとも一つ以上を含む。ある実施形態では、電子装置４００は、構成要素のうちの少なくとも一つ（例えば、キー入力装置４１５、４１６、４１７又はインジケーター４０６）を省略するか、他の構成要素を追加的に含む。
【００５５】
ディスプレー４０１は、例えば、前面プレート４０２の相当部分に露出される。ディスプレー４０１は、タッチ検出回路、タッチの強度（圧力）を測定できる圧力センサー、及び／又は磁場方式のスタイラスペンを検出するディジタイザーと結合されるか、隣接して配置される。
【００５６】
オーディオモジュール４０７、４１４は、マイクホール４０３、４２１及びスピーカーホール４０７、４１４を含む。マイクがハウジング４１０内部（すなわち、第１面４１０Ａ及び第２面４１０Ｂの間の空間）に配置され、マイクホール４０３、４２１を介して外部の音を獲得する。ある実施形態では音の方向を検出するように複数個のマイクがハウジング４１０内部に配置される。例えば、第１マイクが下側面（４１０Ｃ＿ａ；図５）に形成された第１マイクホール４０３を介して音を獲得する。第２マイクが上側面（４１０Ｃ＿ｂ；図６）に形成された第２マイクホール４２１を介して音を獲得する。スピーカーホール４０７、４１４は、外部スピーカーホール４０７及び通話用レシーバーホール４１４を含む。ある実施形態ではスピーカーホール４０７、４１４とマイクホール４０３が一つのホールで具現されるか、スピーカーホール４０７、４１４無しにスピーカー（例えば、ピエゾスピーカー）が電子装置４００に含まれる。
【００５７】
センサーモジュール４０４、４１９は、電子装置４００の内部の作動状態、又は外部の環境状態に対応する電気信号又はデータ値を生成する。センサーモジュール４０４、４１９は、例えば、ハウジング４１０の第１面４１０Ａに配置された第３センサーモジュール４０４（例えば、近接センサー）及び／又は第２センサーモジュール（図示せず）（例えば、指紋センサー）、及び／又は前記ハウジング４１０の第２面４１０Ｂに配置された第３センサーモジュール４１９（例えば、ＨＲＭ（ｈｅａｒｔ  ｒａｔｅ  ｍｏｎｉｔｏｒ）センサー）を含む。追加的に、指紋センサーはハウジング４１０の第１面４１０Ａ（例えば、ホームキーボタン４１５）又は第２面４１０Ｂに配置される。電子装置４００は、図示しないセンサーモジュール、例えば、ジェスチャーセンサー、ジャイロセンサー、気圧センサー、マグネチックセンサー、加速度センサー、グリップセンサー、カラーセンサー、ＩＲ（ｉｎｆｒａｒｅｄ）センサー、生体センサー、温度センサー、湿度センサー、ガスセンサー（例えば、Ｅノーズ（ｅｌｅｃｔｒｏｎｉｃ  ｎｏｓｅ）センサー）、又は照度センサーのうちの少なくとも一つをさらに含む。一実施形態によれば、ガスセンサーはハウジング４１０内部に配置され、ハウジング４１０に形成されたホール（例えば、第１マイクホール４０３、４２１、スピーカーホール４０７、４１４、又はコネクターホール４０８、４０９）を介して外部空気の成分を検出する。
【００５８】
カメラモジュール４０５、４１２、４１３は、電子装置４００の第１面４１０Ａに配置された第１カメラ装置４０５、及び第２面４１０Ｂに配置された第２カメラ装置４１２、及び／又はフラッシュ４１３を含む。カメラモジュール４０５、４１２は、一つ又は複数のレンズ、イメージセンサー、及び／又はイメージシグナルプロセッサを含む。フラッシュ４１３は、例えば、発光ダイオード又はキセノンランプ（ｘｅｎｏｎ  ｌａｍｐ）を含む。ある実施形態では、２個以上のレンズ（広角及び望遠レンズ）及びイメージセンサーが電子装置４００の一面に配置される。
【００５９】
キー入力装置は、ハウジング４１０の第１面４１０Ａに配置されたホームキーボタン４１５、ホームキーボタン４１５の周辺に配置されたタッチパッド４１６、及び／又はハウジング４１０の側面４１０Ｃに配置されたサイドキーボタン４１７を含む。他の実施形態では、電子装置４００は前記キー入力装置のうちの一部又は全部を含まれずとも良く、含まれないキー入力装置はディスプレー４０１上にソフトキーなどの他の形態で具現される。
【００６０】
インジケーター４０６は、例えば、ハウジング４１０の第１面４１０Ａに配置される。インジケーター４０６は、例えば、電子装置４００の状態情報を光形態で提供し、ＬＥＤを含む。
【００６１】
コネクターホール４０８、４０９は、外部電子装置と電力及び／又はデータを送受信するためのコネクター（例えば、ＵＳＢコネクター）を収容する第４コネクターホール４０８、及び／又は外部電子装置とオーディオ信号を送受信するためのコネクターを収容する第２コネクターホール（例えば、イヤホンジャック）４０９を含む。
【００６２】
図７は、一実施形態によるモバイル電子装置の分解斜視図である。図７を参照すれば、電子装置５００（例えば、図１の電子装置１０１又は図３の電子装置３００）は、側面ベゼル構造物５１０、第１支持部材５１１（例えば、ブラケット）、前面プレート５２０、ディスプレー５３０、印刷回路基板５４０、バッテリー５５０、第２支持部材５６０（例えば、リアケース）、アンテナ５７０、及び後面プレート５８０を含む。ある実施形態では、電子装置５００は、構成要素のうちの少なくとも一つ（例えば、第１支持部材５１１、又は第２支持部材５６０）を省略するか、他の構成要素を追加的に含む。電子装置５００の構成要素のうちの少なくとも一つは、図４、又は図５の電子装置４００の構成要素のうちの少なくとも一つと同一又は類似であっても良く、重複する説明は以下省略する。
【００６３】
側面ベゼル構造物５１０は、電子装置５００の側面（例えば、図３の側面３１０Ｃ）を形成する。側面ベゼル構造物５１０には一つ以上のホールが形成されて電子部品（例えば、レシーバー、スピーカー、マイク、センサー、カメラ、又はコネクター）が装着される。このような電子部品は前記ホールを介して電子装置５００の外部と流動的に（ｆｌｕｉｄｉｃａｌｌｙ）接続される。ここで流動的な接続は外部で視覚的な露出、外部空気との接触、又は外部電子装置との電気的な（又は物理的な）接続を意味する。
【００６４】
第１支持部材５１１は、電子装置５００内部に配置されて側面ベゼル構造物５１０と接続するか、側面ベゼル構造物５１０と一体に形成される。第１支持部材５１１は、例えば、金属材質及び／又は非金属（例えば、ポリマー）材質で形成される。第１支持部材５１１は、一面にディスプレー５３０が結合されて他面に印刷回路基板５４０が結合される。印刷回路基板５４０には、プロセッサ、メモリー、及び／又はインターフェースが装着される。プロセッサは、例えば、中央処理装置、アプリケーションプロセッサ、グラフィック処理装置、イメージシグナルプロセッサ、センサーハブプロセッサ、又はコミュニケーションプロセッサのうちの一つ以上を含む。
【００６５】
メモリーは、例えば、揮発性メモリー又は非揮発性メモリーを含む。
インターフェースは、例えば、ＨＤＭＩ（登録商標）（ｈｉｇｈ  ｄｅｆｉｎｉｔｉｏｎ  ｍｕｌｔｉｍｅｄｉａ  ｉｎｔｅｒｆａｃｅ）、ＵＳＢ（ｕｎｉｖｅｒｓａｌ  ｓｅｒｉａｌ  ｂｕｓ）インターフェース、ＳＤカードインターフェース、及び／又はオーディオインターフェースを含む。インターフェースは、例えば、電子装置５００を外部電子装置と電気的又は物理的に接続させ、ＵＳＢコネクター、ＳＤカード／ＭＭＣコネクター、又はオーディオコネクターを含む。プロセッサはマイクロプロセッサ又は一つ以上の汎用（ｇｅｎｅｒａｌ−ｐｕｒｐｏｓｅ）プロセッサ（例えば、ＡＲＭ基盤プロセッサ）、デジタル信号プロセッサ（ＤＳＰ）、プログラム可能な論理素子（ＰＬＤ）、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）、ＧＰＵ（Ｇｒａｐｈｉｃａｌ  Ｐｒｏｃｅｓｓｉｎｇ  Ｕｎｉｔ）、ビデオカードコントローラーなどを含む。また、汎用コンピューターが本明細書のプロセッシングを具現するためのコードにアクセスする時、コードの実行は汎用コンピューターを前記プロセッシングを実行するための特定目的のコンピューターで変換する。提供された機能及び段階はハードウェア、ソフトウェア又はこれらの組み合わせで具現される。また、前記機能及び段階はコンピューターのプログラムされた命令（ｉｎｓｔｒｕｃｔｉｏｎｓ）内で全体的又は部分的に行われる。
【００６６】
バッテリー５５０は、電子装置５００の少なくとも一つの構成要素に電力を供給するための装置として、例えば、再充電不可能な３次電池、又は再充電可能な２次電池、又は燃料電池を含む。バッテリー５５０の少なくとも一部は、例えば、印刷回路基板５４０と実質的に同一平面上に配置される。バッテリー５５０は電子装置３００内部に一体で配置され、電子装置３００と脱付着可能に配置されることもできる。
【００６７】
アンテナ５７０は、後面プレート５８０とバッテリー５５０の間に配置される。アンテナ５７０は、例えば、ＮＦＣ（ｎｅａｒ  ｆｉｅｌｄ  ｃｏｍｍｕｎｉｃａｔｉｏｎ）アンテナ、無線充電アンテナ、及び／又はＭＳＴ（ｍａｇｎｅｔｉｃ  ｓｅｃｕｒｅ  ｔｒａｎｓｍｉｓｓｉｏｎ）アンテナを含む。アンテナ５７０は、例えば、外部装置と近距離通信をするか、充電に必要な電力を無線で送受信する。他の実施形態では、側面ベゼル構造物５１０及び／又は第１支持部材５１１の一部又はその組み合わせによってアンテナ構造物が形成される。
【００６８】
図８は、多様な実施形態による、マイクとガスセンサーが装着された構造物の断面を示す図面で、図９は図８に示した構造物の一面を示す図面である。
図８及び図９を参照すれば、多様な実施形態による構造物６００はベゼル構造物６１０、マイク６２０、ガスセンサー６３０、付着部材６４１、６４２、６４３、防水膜（ｖｅｎｔ）６５１、６５２、ＰＣＢ６６１、６６２及びＦＰＣＢ６７０を含む。
【００６９】
多様な実施形態によれば、ベゼル構造物６１０は電子装置のハウジングの一部（例えば、図４乃至６の側面ベゼル構造物４１８、又は図７の側面ベゼル構造物５１０）を形成する。
多様な実施形態によれば、ベゼル構造物６１０の側面６１１の内部にホール６１２（例えば、図４乃至６の第１マイクホール４０３又は第２マイクホール４２１）が形成される。ホール６１２はハウジング内部に位置したマイクの外部音獲得のための入口として活用される。また、ホール６１２はハウジング内部に位置したガスセンサーの外部空気獲得のための入口として活用される。
【００７０】
一実施形態によれば、ホール６１２は側面６１１に形成された外部オープニング６１２ａと、ベゼル構造物６１０の後面６１３に形成された第１内部オープニング６１２ｂ及び第２内部オープニング６１２ｃと、外部オープニング６１２ａから側面６１３と直角方向（Ｘ軸方向）（例えば、ベゼル構造物６１０の前面６１４又は後面６１３に平行な方向）で延長された第１通路６１２ｄと、第１通路６１２ｄのある一つの地点で第１内部オープニング６１２ｂに延長された第２通路６１２ｅと、第１通路６１２ｄの他の地点で第２内部オープニング６１２ｃに延長された第３通路６１２ｆから構成される。
【００７１】
多様な実施形態によれば、マイク６２０はベゼル構造物６１０の後面６１３に配置されてホール６１２を介して電子装置の外部から音を獲得する。例えば、第１ＰＣＢ６６１の一面は、第２通路６１２ｅを覆うように、ベゼル構造物６１０の後面６１３に第１付着部材６４１を介して付着される。マイク６２０は、後面６１３に付着された第１ＰＣＢ６６１の一面に対向する第１ＰＣＢ６６１の他面に配置される。例えば、マイク６２０は空気通路としてオープニング６２１が形成された第１面とこれに対向する第２面を含む。第１ＰＣＢ６６１には第１ＰＣＢ６６１の一面と他面を貫く、空気通路として、ビア６６１ａが形成される。マイク６２０の第１面が、ビア６６１ａがオープニング６２１内に位置するように、第１ＰＣＢ６６１の他面に配置される。これにより、マイク６２０は第２通路６１２ｅを経て外部から流入された音をビア６６１ａ及びオープニング６２１を介して獲得する。
【００７２】
多様な実施形態によれば、第１付着部材６４１は防水機能を有する両面テープにより構成される。これにより、第２通路６１２ｅを通じる内部空間６８０で水や空気の流入が第１付着部材６４１によって遮断される。
【００７３】
多様な実施形態によれば、第１防水膜６５１はマイク６２０で水の流入を遮断する。例えば、第１防水膜６５１はビア６６１ａを覆うように第１ＰＣＢ６６１の他面に付着される。これにより、第１防水膜６５１を介してビア６６１ａで空気は流入されるが水の流入は遮断される。
【００７４】
多様な実施形態によれば、ガスセンサー６３０はベゼル構造物６１０の後面６１３に配置されてホール６１２を介して外部空気を獲得する。例えば、ガスセンサー６３０は空気通路としてオープニング６３１ａが形成された第１面と、これに対向する第２面を含み、ガスセンサー６３０の第２面が第２ＰＣＢ６６２の一面に付着される。ガスセンサー６３０のオープニング６３１ａが形成された第１面は、オープニング６３１ａが第３通路６１２ｆと通じるように、第２付着部材６４２を介してベゼル構造物６１０の後面６１３に付着される。これにより、ガスセンサー６３０は第３通路６１２ｆを経て外部から流入した空気をオープニング６３１ａを介して獲得する。さらに、第２ＰＣＢ６６２の一面も、ベゼル構造物６１０の後面に第３付着部材６４３を介して付着する。
【００７５】
多様な実施形態によれば、第２付着部材６４２及び第３付着部材６４３は防水機能を有する両面テープにより構成される。これにより、第３通路６１２ｆを通じる内部空間６８０で水の流入が第２付着部材６４２及び第３付着部材６４３によって遮断される。
【００７６】
多様な実施形態によれば、第２防水膜６５２はガスセンサー６３０への水の流入を遮断する。例えば、第２防水膜６５２はオープニング６３１ａを覆うようにガスセンサー６３０のオプニング６３１ａが形成された第１面に付着される。これにより、第２防水膜６５２を介してガスセンサー６３０はオプニング６３１ａにより空気は流入されるが水の流入は遮断される。
【００７７】
多様な実施形態によれば、マイク６２０及びガスセンサー６３０はプロセッサと電気的に接続される。例えば、ＦＰＣＢ６７０は第１ＰＣＢ６６１及び第２ＰＣＢ６６２を電子装置のメインボード（例えば、図７の５４０）に電気的に接続する。これにより、マイク６２０及びガスセンサー６３０はメインボードに搭載されたプロセッサ（例えば、アプリケーションプロセッサ、又はセンサーハブプロセッサ）と電気的に接続される。
【００７８】
図１０は、多様な実施形態による、レシーバーとガスセンサーが装着された構造物の前面を示す図面で、図１１は図１０の構造物でＡＡ’部分を切断して示す図面で、図１２は図１０の構造物でＢＢ’部分を切断して示す図面である。
【００７９】
図１０乃至１２を参照すれば、多様な実施形態による構造物７００はベゼル構造物７１０、レシーバー７２０、ガスセンサー７３０、付着部材７４１、７４２、及び防水膜７５０を含む。
【００８０】
多様な実施形態によれば、ベゼル構造物７１０は電子装置のハウジングの一部（例えば、図７の第１支持部材５１１）を形成する。
多様な実施形態によれば、ベゼル構造物７１０の上面７１１から内部で、レシーバー７２０の音響出力及びガスセンサー７３０の外部空気獲得のためのホール７１２が形成される。
【００８１】
一実施形態によれば、ホール７１２はベゼル構造物７１０の上面７１１に形成された外部オープニング７１２ａと、ベゼル構造物７１０の後面７１３に形成された第１内部オープニング７１２ｃ及び第２内部オープニング７１２ｄと、外部オープニング７１２ａから第１内部オープニング７１２ｂに延長された第１通路７１２ｄと、第１通路７１２から第２内部オープニング７１２ｃに延長された第２通路７１２ｅから構成される。
【００８２】
多様な実施形態によれば、レシーバー７２０は、ベゼル構造物７１０の後面７１３に配置されてホール７１２を介して音響を外部に出力する。例えば、レシーバー７２０のオープニング７２１は第１内部オープニング７１２ｂ側に向けるように後面７１３に配置されて第１付着部材７４１によって構造物７００の後面（７１３）に付着される。
【００８３】
多様な実施形態によれば、第１付着部材７４１は防水機能を有する両面テープにより構成される。これにより、外部の水や空気がホール７１２を介して内部空間７６０に流入することが第１付着部材７４１によって遮断される。
【００８４】
多様な実施形態によれば、ガスセンサー７３０はベゼル構造物７１０の後面７１３に配置され、ホール７１２を介して外部空気を獲得する。例えば、ガスセンサー７３０においてオープニング７３１が形成された面が第２内部オープニング７１２ｃに向けるように構造物７１０の後面７１３に配置されて第２付着部材７４２によってベゼルを構造物７１０の後面７１３に付着される。
【００８５】
多様な実施形態によれば、第２付着部材７４２は防水機能を有する両面テープから構成される。これにより、外部の水や空気がホール７１２を介して内部空間７６０に流入することが第２付着部材７４２によって遮断される。
【００８６】
多様な実施形態によれば、防水膜７５０はガスセンサー７３０への水の流入を遮断する。例えば、防水膜７５０はガスセンサー７３０のオープニング７３１を覆うようにガスセンサー７３０はオプニング７３１が形成された面に付着される。これにより、防水膜７５０を介してガスセンサー７３０はオプニング７３１に空気は流入されるが水の流入は遮断される。
【００８７】
図１３は、多様な実施形態による、レシーバーとガスセンサーが装着された構造物の断面を示す図面である。
図１３を参照すれば、多様な実施形態による構造物８００はベゼル構造物８１０、レシーバー８２０、ガスセンサー８３０、付着部材８４１、８４２、８４３、防水膜８５０、及び遮蔽シート８６０を含む。
【００８８】
多様な実施形態によれば、ベゼル構造物８１０は電子装置のハウジングの一部（例えば、図７の第１支持部材５１１）を形成する。
多様な実施形態によれば、ベゼル構造物８１０の上面８１１の内部に第１ホール８１２が形成される。第１ホール８１２はハウジング内部に位置したレシーバー８２０の音響出力のための出口として活用される。また、第１ホール８１２はハウジング内部に位置したガスセンサー８３０の外部空気獲得のための入口として活用される。
【００８９】
多様な実施形態によれば、第１ホール８１２を介してベゼル構造物８１０の内部に流入した外部空気をガスセンサー８３０側に誘導するための追加的な一つ以上のホールがベゼル構造物８１０の上面８１１の内部に形成される。
【００９０】
一実施形態によれば、第１ホール８１２に流入した外部空気をガスセンサー８３０側に誘導するようにする第２ホール８１３と第３ホール８１４が、ベゼル構造物８１０の上面８１１に形成される。追加的に、第２ホール８１３と第３ホール８１４を外部と遮断しながら第２ホール８１３と第３ホール８１４の間に通路８１５が形成されるようにする遮蔽シート８６０がベゼル構造物８１０の上面８１１に配置される。これにより、第１ホール８１２に流入した外部空気は、第２ホール８１３、通路８１５及び第３ホール８１４を介してガスセンサー８３０に流入する。
【００９１】
一実施形態によれば、遮蔽シート８６０は第３付着部材８４３でベゼル構造物８１０の上面８１１に付着される。また、遮蔽シート８６０は例えば、導電性物質により構成されることによってレシーバー８２０の音響が第２ホール８１３を介して外部に出力されることを遮断する。
【００９２】
多様な実施形態によれば、レシーバー８２０はベゼル構造物８１０の後面８１７に配置されて第１ホール８１２を介して音響を外部で出力する。例えば、レシーバー８２０のオープニング８２１は第１ホール８１２側に向けるように後面８１７に配置されて第１付着部材８４１によってベゼル構造物８１０の後面８１７に付着される。
【００９３】
多様な実施形態によれば、第１付着部材８４１は防水機能を有する両面テープにより構成される。これにより、外部の水や空気仮題１ホール８１２を介して内部空間８７０に流入することが第１付着部材８４１によって遮断される。
【００９４】
多様な実施形態によれば、ガスセンサー８３０はベゼル構造物８１０の後面８１７に配置され、第１ホール８１２を介して外部空気を獲得する。例えば、ガスセンサー８３０においてオープニング８３１が形成された面が第３ホール８１４に向けるように後面８１７に配置されて第２付着部材８４２によってベゼル構造物８１０の後面８１７に付着される。
【００９５】
多様な実施形態によれば、第２付着部材８４２は防水機能を有する両面テープにより構成される。これにより、外部の水や空気が第３ホール８１４を介して内部空間８７０に流入することが第２付着部材８４２によって遮断される。
【００９６】
多様な実施形態によれば、防水膜８５０はガスセンサー８３０で水の流入を遮断する。例えば、防水膜８５０はガスセンサー８３０のオープニング８３１を覆うようにガスセンサー８３０のオープニング８３１が形成された面に付着される。これにより、防水膜８５０を介してガスセンサー８３０のオープニング８３１に空気は流入されるが水の流入は遮断される。
【００９７】
図１４は、多様な実施形態による、ガスセンサーを有する電子装置の動作を説明するためのフローチャートである。
図１４を参照すれば、多様な実施形態による以下の動作は図８、図１０又は図１３に示した構造物を有する電子装置のプロセッサ（例えば、図１のプロセッサ１２０）によって実行される。
【００９８】
多様な実施形態によれば、ステップ９１０でプロセッサはガス測定の開始（ｌａｕｎｃｈ）のイベントの発生を認識する。
一実施形態で、イベントは指定された時刻（例えば、午後１時）であれば良い。すなわち、指定された時刻の到来がイベントの発生と認識される。
【００９９】
他の実施形態で、イベントは指定された場所（例えば、家）であれば良い。例えば、プロセッサは無線通信モジュール（例えば、図１の１９２）を介して電子装置の位置情報を獲得して獲得された位置情報が指定された場所に対応する場合、このような指定された場所の到来をイベントの発生と認識する。
【０１００】
また、他の実施形態で、イベントはガス測定を触発させるユーザ入力であれば良い。例えば、ユーザ入力はディスプレーを介して表示された測定スタートボタンに対するユーザの選択であれば良い。また、ユーザ入力はマイクを介して受信された、ガス測定をリクエストする音声であれば良い。
【０１０１】
また、他の実施形態で、イベントは無線通信モジュール（例えば、図１の１９２）を介して外部から受信される、又は外部で送信される通話リクエスト信号であれば良い。すなわち、プロセッサは通話リクエスト信号の受信又は送信をイベントの発生と認識する。例えば、図８に示したようにマイクとガスセンサーの共用ホールを有する電子装置において、プロセッサは通話リクエスト信号を、ユーザの健康状態（例えば、血中アルコール濃度や口臭など）の測定を開始するイベントと認識する。
【０１０２】
また、他の実施形態で、通話リクエスト信号の受信に対するユーザの反応がユーザの健康状態測定を開始するイベントの発生と認識される。例えば、プロセッサは、通話リクエスト信号の受信に反応し、スピーカーを介して音響を、ディスプレーを介してメッセージを、及び／又はハプティックモジュールを介して震動を出力する。このような聴覚的、視覚的及び／又は触覚的な通報に対する反応として通話受諾を示すユーザ入力がイベントと認識される。ここで、ユーザ入力は入力装置（例えば、タッチ反応ディスプレー）介して又は、ユーザ音声として、マイクを介して受信される。
【０１０３】
また、他の実施形態で、通話リクエスト信号の送信を触発させるユーザ入力がユーザの健康状態測定を開始するイベントと認識される。例えば、ユーザ入力はディスプレーを介して表示された通話ボタンに対するユーザの選択であれば良い。さらに、ユーザ入力はマイクを介して受信された、通話接続をリクエストする音声であれば良い。
【０１０４】
多様な実施形態によれば、ステップ９２０でプロセッサは前記イベントの発生に反応してガスセンサーを駆動する。例えば、プロセッサは外部空気の特定成分に係るデータを獲得するようにガスセンサーを制御する。これによりガスセンサーは獲得された生データ（ｒａｗ  ｄａｔａ）をプロセッサ（例えば、センサーハブプロセッサ）へ伝達する。
【０１０５】
多様な実施形態によれば、プロセッサは前記イベントの発生に反応して温／湿度センサーを追加的に駆動する。これによって温／湿度センサーは温／湿度に対応する生データを生成してプロセッサへ伝達する。
【０１０６】
多様な実施形態によれば、ステップ９３０でプロセッサ（例えば、センサーハブプロセッサ）はガスセンサーから受信された生データを分析して特定成分（例えば、アルコール、揮発性有機化合物（ｖｏｌａｔｉｌｅ  ｏｒｇａｎｉｃ  ｃｏｍｐｏｕｎｄｓ；ＶＯＣ）、ＴＶＯＣ（ｔｏｔａｌ  ＶＯＣ）、微細ホコリ、二酸化炭素、又は口臭（例えば、ｖｏｌａｔｉｌｅ  ｓｕｌｆｕｒ  ｃｏｍｐｏｕｎｄｓ  （ＶＳＣ））など）の濃度（例えば、ｐｐｍ（ｐａｒｔｓ  ｐｅｒ  ｍｉｌｌｉｏｎ）、ｍｇ／ｍ３又はμｇ／ｍ３を計算する。
【０１０７】
多様な実施形態によれば、プロセッサは温／湿度センサーにより受信された生データを分析して温／湿度を計算し、計算された温／湿度に基づいて前記計算された濃度を補正する。
【０１０８】
多様な実施形態によれば、ステップ９４０でプロセッサは計算された（又は補正された）濃度に指定された機能を実行する。
一実施形態によれば、ステップ９４０は外部空気清浄度（ｑｕａｌｉｔｙ）をユーザに案内する動作を含む。外部空気の清浄度は、例えば、５段階（非常に良い、良い、普通、悪い、非常に悪い）で分類され、プロセッサは計算された（又は補正された）濃度に対応する段階を示すお知らせメッセージをディスプレー及び／又はスピーカーを介して出力する。
【０１０９】
一実施形態によれば、ステップ９４０は血中アルコール濃度や口臭程度をユーザに案内する動作を含む。例えば、プロセッサは、血中アルコール濃度が予め定められた値（例えば、運転兔許停止に該当する値）を超過する場合、警告メッセージをディスプレー及び／又はスピーカーを介して出力する。
【０１１０】
一実施形態によれば、ステップ９４０は、計算された（又は補正された）  濃度に基づいて、無線通信モジュールを介して電子装置に接続された外部電子装置（例えば、ＩｏＴ（ｉｎｔｅｒｎｅｔ  ｏｆ  ｔｈｉｎｇｓ）機器）のオン／オフ（ＯＮ／ＯＦＦ）及び機能を制御する動作を含む。例えば、プロセッサは、血中アルコール濃度が予め定められた値（例えば、運転兔許停止に該当する値）を超過する場合、自動車の電子制御システムに作動停止命令を送信する。他の例として、プロセッサは、空気清浄度に少なくとも基づいて（例えば、空気清浄度が悪い水準であれば）、空気清浄機、エアコン、暖房、加湿機又は除湿機などを制御して清浄度を高くする。
【０１１１】
一実施形態によれば、動作９４０は計算された（又は補正された）濃度に基づいてガスセンサーの測定周期を調整する動作を含む。例えば、プロセッサは表１のように清浄度が良くなるほど測定周期を長くすることによって消耗電流を減らす。
【表１】
2019103145.tif 000003
【０１１２】
一実施形態によれば、ステップ９４０は濃度、その変化又は対応する情報を外部（例えば、ユーザ及び／又は外部電子装置）に案内する動作を含む。例えば、空気の清浄度が変更される場合、アラームメッセージがディスプレー及び／又はスピーカーを介して出力される。プロセッサは、空気清浄度が急激に変化する場合（例えば、表１を参照すれば、数分内にレベル５に変更）、このような変化に対応するメッセージ（例えば、火事警報）をディスプレー及び／又はスピーカーを介して出力する。また、プロセッサは前記変化に対応するメッセージを消防署へ送信することもできる。
【０１１３】
図１５は、多様な実施形態による、ガスセンサーを有する電子装置の動作を説明するためのフローチャートである。
図１５を参照すれば、多様な実施形態による以下の動作は図８、図１０又は図１３に示した構造物を有する電子装置のプロセッサ（例えば、図１のプロセッサ１２０）によって実行される。
【０１１４】
近接通話（すなわち、ユーザが自分の耳をレシーバーに近づけて通話）中に獲得された生データは清浄度計算の不正確をもたらす。例えば、図８に示したようにマイクとガスセンサーの共用ホールを有する電子装置において、近接電話中、ユーザの口腔から出る空気が外部空気と混じってマイクに獲得され、これにより外部空気の清浄度計算が不正確となる。他の例で、図１０又は８に示したように、レシーバーとガスセンサーの共用ホールを有する電子装置において、ユーザが近接通話をすれば、耳がレシーバーに密着されることによって外部空気が前記共用ホールに流入することが阻害され、これにより外部空気の清浄度計算が不正確となる。
【０１１５】
本発明の多様な実施形態によれば、プロセッサは、近接通話を考慮したガス測定動作（例えば、以下の動作）を実行する。
多様な実施形態によれば、ステップ１０１０でプロセッサは外部空気の清浄度に係る生データを獲得するようにガスセンサーを制御する。
【０１１６】
多様な実施形態によれば、ステップ１０２０でプロセッサは、ガスセンサーが生データの獲得を実行するうちに、ユーザの近接通話を開始する動作を認識する。一実施形態によれば、プロセッサは近接センサーから獲得されたデータに少なくとも基づいてユーザの近接通話動作を認識する。例えば、プロセッサは、特定状態で（例えば、通話リクエスト信号を無線通信モジュール（例えば、図１の１９２）を介して外部から受信後、通話リクエスト信号を通信モジュールを介して外部に送信後、又は無線通信モジュールを介して外部装置と通話中に）、近接センサーから獲得されたデータ値がユーザが電子装置を自分の体（例えば、頬）に近接させる動作を示す場合、又は前記獲得されたデータ値が特定距離を示す臨界値より小さい場合、ユーザの近接通話を開始する動作が発生したことを認識する。また、プロセッサは近接通話の開始動作を認識した後、近接センサーから獲得されたデータ値が、ユーザが電子装置を自分から電子装置を遠ざける動作を示す場合、又は前記獲得されたデータ値が前記臨界値を超過した場合、ユーザの近接通話を終了する動作が発生したことを認識する。
【０１１７】
多様な実施形態によれば、ステップ１０３０でプロセッサは、ガスセンサーが近接通話の開始動作が認識される前に獲得された生データ又は近接通話の終了動作が認識された後に獲得された生データのうちの少なくとも一つに基づいて、外部空気の清浄度を計算する。例えば、プロセッサは一定時間の間に収集された生データの平均値を求め、平均値を用いて清浄度を計算する。この時、平均値計算において、通話中に収集される生データは除外される。又は、通話中には生データの収集（例えば、メモリーに記憶）を中断し、通話終了時に収集動作を再開する。
【０１１８】
ある実施形態によれば、図８に示したようにマイクとガスセンサーの共用ホールを有する電子装置において、近接通話中に収集される生データは捨てられずユーザの健康状態の測定に用いることもできる。追加的に、プロセッサは温／湿度センサーを介して獲得された温／湿度に基づいて前記計算された清浄度を補正する。
【０１１９】
多様な実施形態によれば、ステップ１０４０でプロセッサは計算された（又は補正された）清浄度に指定された機能を実行する。例えば、ステップ１０４０は外部空気の清浄度をユーザに案内する動作、清浄度に基づいて外部電子装置（例えば、ＩｏＴ（ｉｎｔｅｒｎｅｔ  ｏｆ  ｔｈｉｎｇｓ）機器）のオン／オフ（ＯＮ／ＯＦＦ）及び機能を制御する動作、清浄度に基づいてガスセンサーの測定周期を調整する動作、又は清浄度の変化や対応する情報を外部（例えば、ユーザ及び／又は外部電子装置）に案内する動作を含む。
【０１２０】
図１６は多様な実施形態による、マイクとガスセンサーの共用ホールを有する電子装置の動作を説明するためのフローチャートである。
図１６を参照すれば、多様な実施形態による以下の動作は図８に示した構造物を有する電子装置のプロセッサ（例えば、図１のプロセッサ１２０）によって実行される。
【０１２１】
多様な実施形態によれば、ステップ１１１０でプロセッサはユーザの近接通話を開始する動作を認識する。一実施形態によれば、プロセッサは少なくとも一つのセンサー（例えば、加速度センサー、又は近接センサーなど）から獲得されたデータに少なくとも基づいて近接通話の開始動作を認識する。
【０１２２】
多様な実施形態によれば、ステップ１１２０でプロセッサはユーザの近接通話の開始動作に反応し、ユーザの健康状態に係る生データを獲得するようにガスセンサーを制御する。一実施形態によれば、生データの獲得は近接通話の開始動作が認識された後に予め定められた時間の間持続される。他の実施形態によれば、ローデータの獲得は近接通話の終了動作が認識される前まで持続することもできる。
【０１２３】
多様な実施形態によれば、ステップ１１３０でプロセッサは、ガスセンサーが近接通話の開始動作が認識された後に獲得された生データに少なくとも基づいて、ユーザの健康状態（例えば、血中アルコール又は口臭の濃度）を測定する。追加的に、プロセッサは温／湿度センサーを介して獲得された温／湿度に基づいて前記計算された清浄度を補正する。
【０１２４】
多様な実施形態によれば、ステップ１１４０でプロセッサは計算された（又は補正された）健康状態に指定された機能を実行する。例えば、ステップ１１４０は血中アルコール濃度や口臭程度をユーザに案内する動作、健康状態に基づいて外部電子装置（例えば、ＩｏＴ（ｉｎｔｅｒｎｅｔ  ｏｆ  ｔｈｉｎｇｓ）機器）のオン／オフ（ＯＮ／ＯＦＦ）及び機能を制御する動作、健康状態に基づいてガスセンサーの測定周期を調整する動作、又は健康状態の変化や対応する情報を外部（例えば、ユーザ及び／又は外部電子装置）に案内する動作を含む。
【０１２５】
図１７は、多様な実施形態による、レシーバーとガスセンサーの共用ホールを有する電子装置の動作を説明するためのフローチャートである。
図１７を参照すれば、多様な実施形態による以下の動作は図１０又は図１３に示した構造物を有する電子装置のプロセッサ（例えば、図１のプロセッサ１２０）によって実行される。
【０１２６】
多様な実施形態によれば、ステップ１２１０でプロセッサは外部空気の清浄度測定開始のイベントの発生を認識する。
一実施形態によれば、イベントは指定された時刻（例えば、午後１時）であれば良い。すなわち、指定された時刻の到来がイベントの発生と認識される。
【０１２７】
一実施形態によれば、イベントは指定された場所（例えば、家）であれば良い。例えば、プロセッサは無線通信モジュール（例えば、図１の１９２）を介して電子装置の位置情報を獲得して獲得された位置情報が指定された場所に対応する場合、このような指定された場所の到来をイベントの発生と認識する。
【０１２８】
一実施形態によれば、イベントはガス測定を触発させるユーザ入力であれば良い。例えば、ユーザ入力はディスプレーを介して表示された測定スタートボタンに対するユーザの選択であれば良い。さらに、ユーザ入力はマイクを介して受信された、ガス測定をリクエストする音声であれば良い。
【０１２９】
多様な実施形態によれば、ステップ１２２０でプロセッサはレシーバーが駆動中であるか否かを確認する。一実施形態によれば、駆動は無線通信モジュールを介して獲得された音声信号がレシーバーを介して音波に変換されて出力されている状態を意味する。確認結果レシーバーが駆動中ではなければ、ステップ１２３０でプロセッサは非可聴周波数の信号（例えば、超音波信号）を出力するようにレシーバーを駆動する。空気の流れがレシーバーから出力された音（可聴周波数又は非可聴周波数）によってガスセンサーに誘導されることによってガスセンサーの空気に対する反応速度（ｒｅａｃｔｉｏｎ  ｒａｔｅ）及び回復速度が早くなる。
【０１３０】
多様な実施形態によれば、ステップ１２４０でプロセッサは，イベントの発生に反応し、又はステップ１２３０のようにレシーバーを駆動させた後、ガスセンサーを駆動する。例えば、プロセッサはレシーバー駆動後、外部空気の特定成分に係る生データを獲得するようにガスセンサーを制御する。これによりガスセンサーは獲得された生データ（ｒａｗ  ｄａｔａ）をプロセッサ（例えば、センサーハブプロセッサ）へ伝達する。プロセッサは前記イベントの発生に反応して温／湿度センサーを追加的に駆動する。
【０１３１】
多様な実施形態によれば、ステップ１２５０でプロセッサ（例えば、センサーハブプロセッサ）は、ガスセンサーが獲得したデータに少なくとも基づいて、外部空気の清浄度を計算する。一実施形態によれば、近接通話中に獲得されたローデータは清浄度計算の不正確をもたらすので、清浄度計算には図１５において説明したように近接通話動作が考慮されることもできる。追加的に、プロセッサは温／湿度センサーから受信された生データを分析して温／湿度を計算し、計算された温／湿度に基づいて前記計算された清浄度を補正する。
【０１３２】
多様な実施形態によれば、ステップ１２６０でプロセッサはステップ１２５０で獲得された清浄度に対応する機能を実行する。例えば、ステップ１２６０は外部空気の清浄度をユーザに案内する動作、清浄度に基づいて外部電子装置（例えば、ＩｏＴ（ｉｎｔｅｒｎｅｔ  ｏｆ  ｔｈｉｎｇｓ）機器）のオン／オフ（ＯＮ／ＯＦＦ）及び機能を制御する動作、清浄度に基づいてガスセンサーの測定周期を調整する動作、又は清浄度の変化や対応する情報を外部（例えば、ユーザ及び／又は外部電子装置）に案内する動作を含む。
【０１３３】
本発明の多様な実施形態による電子装置はホールが形成されたハウジングと、前記ホールを介して外部と通じるように前記ハウジング内部に設置されたオーディオ装置と、前記ホールを介して外部と通じるように前記ハウジング内部に設置されたガスセンサーと、前記ハウジング内部に位置した近接センサーと、前記ハウジング内部に位置した無線通信モジュールと、及びハウジング内部に位置し、前記オーディオ装置、前記ガスセンサー、前記近接センサー及び前記無線通信モジュールと電気的に接続されたプロセッサと、を含み、前記プロセッサは、前記ガスセンサーを用いて外部空気の特定成分に係るデータを獲得し、前記近接センサーを用いてユーザの近接通話を開始する動作を認識し、前記ガスセンサーが前記近接通話の開始動作が認識される前に獲得したデータ又は前記近接通話の終了動作が認識された後に獲得したデータのうちの少なくとも一つに基づいて、外部空気の清浄度を計算するように構成される。
【０１３４】
前記オーディオ装置はマイクを含み、前記ハウジングは第１方向に向かう第１表面と、前記第１方向と反対である第２方向に向かう第２表面と、及び前記第１表面及び前記第２表面間の空間の少なくとも一部を取り囲む構造物と、を含み、前記ホールは、前記構造物の側面に形成された外部オープニングと、前記構造物の後面に形成された第１内部オープニング及び第２内部オープニングと、前記外部オープニングから前記第１内部オープニング及び前記第２内部オープニングに延長された通路と、を含み、前記マイクは、前記第１内部オープニングを介して前記マイクのオープニングで空気が通じるように、前記構造物の後面に配置され、前記ガスセンサーは、前記第２内部オープニングを介して前記ガスセンサーのオープニングに空気が通じるように、前記構造物の後面に配置される。
【０１３５】
前記電子装置は、前記第１内部オープニング及び前記第２内部オープニングを介して前記空間に異物質が流入されることを遮断するための付着部材をさらに含み、前記付着部材が前記第１内部オープニング及び前記第２内部オープニング周辺に付着される。
【０１３６】
前記電子装置は、前記マイクのオープニングに付着された第１防水膜と前記ガスセンサーのオープニングに付着された第２防水膜をさらに含む。
【０１３７】
前記プロセッサは、前記マイクを介して外部から音を獲得する場合、前記ガスセンサーを駆動するように構成される。
【０１３８】
前記電子装置は、前記プロセッサに電気的に接続されたディスプレーをさらに含み、前記プロセッサは前記計算された清浄度に係る情報を前記ディスプレー又は前記無線通信モジュールのうちの少なくとも一つを介して外部に出力するように構成される。
【０１３９】
前記プロセッサは通話に係るイベントの発生に反応して前記ガスセンサーを駆動するように構成される。
【０１４０】
前記オーディオ装置はレシーバーを含み、前記ハウジングは第１方向に向かう第１表面と、前記第１方向と反対である第２方向に向かう第２表面と、及び前記第１表面及び前記第２表面間の空間の少なくとも一部を取り囲む構造物と、を含み、前記ホールは、前記構造物の前面に形成された外部オープニングと、前記構造物の後面に形成された第１内部オープニング及び第２内部オープニングと、前記外部オープニングから前記第１内部オープニング及び前記第２内部オープニングに延長された通路と、を含み、前記レシーバーは、前記第１内部オープニングを介して前記レシーバーのオープニングで空気が通じるように、前記構造物の後面に配置され、前記ガスセンサーは、前記第２内部オープニングを介して前記ガスセンサーのオープニングに空気が通じるように、前記構造物の後面に配置される。
【０１４１】
前記電子装置は前記第１内部オープニング及び前記第２内部オープニングを介して前記空間に異物質が流入することを遮断するための付着部材をさらに含み、前記付着部材が前記第１内部オープニング及び前記第２内部オープニング周辺に付着される。
【０１４２】
前記電子装置は前記レシーバーのオープニングに付着した第１防水膜と前記ガスセンサーのオープニングに付着された第２防水膜をさらに含む。
【０１４３】
前記プロセッサは前記レシーバーが駆動されると、前記ガスセンサーを駆動するように構成される。
【０１４４】
前記プロセッサは、ガス測定開始を触発させるイベントの発生に反応し、そして前記レシーバーが駆動していなければ、超音波を出力するように前記レシーバーを制御するように構成される。
【０１４５】
前記プロセッサは、前記無線通信モジュールを介して獲得された位置情報が指定された場所に対応する場合、前記ガスセンサーを駆動するように構成される。
【０１４６】
前記電子装置は前記プロセッサに電気的に接続されたディスプレーをさらに含み、前記プロセッサは前記計算された清浄度に係る情報を前記ディスプレー又は前記無線通信モジュールのうちの少なくとも一つを介して外部に出力するように構成される。
【０１４７】
前記プロセッサは、外部空気の特定成分に係るデータを獲得するように前記ガスセンサーを制御し、前記無線通信モジュールを介して外部装置と通信するうちに、前記近接センサーから獲得されたデータに少なくとも基づいて、ユーザの近接通話を開始する動作を認識するように構成される。
【０１４８】
本発明の多様な実施形態による電子装置は、ホールが形成されたハウジングと、前記ホールを介して外部と通じるように前記ハウジング内部に設置されたマイクと、前記ホールを介して外部と通じるように前記ハウジング内部に設置されたガスセンサーと、前記ハウジング内部に位置した近接センサーと、前記ハウジング内部に位置した無線通信モジュールと、及びハウジング内部に位置し、前記マイク、前記ガスセンサー、前記近接センサー及び前記無線通信モジュールと電気的に接続されたプロセッサと、を含み、前記プロセッサは，前記無線通信モジュールを介して外部装置と通信するうちに、前記近接センサーから獲得されたデータに少なくとも基づいて、ユーザの近接通話を開始する動作を認識し、前記近接通話の開始動作が認識された後に前記ガスセンサーが獲得したデータに少なくとも基づいて、ユーザの健康状態を測定するように構成される。
【０１４９】
前記プロセッサは、前記ガスセンサーが前記近接通話の開始動作が認識された後、そして前記近接通話の終了動作が認識される前に獲得したデータに基づいて、ユーザの健康状態を測定するように構成される。
【０１５０】
本発明の多様な実施形態による、電子装置を動作させる方法は、外部空気の特定成分に係るデータを、前記電子装置のガスセンサーによって、獲得する動作と、前記電子装置の無線通信モジュールを介して外部装置と通信するうちに、前記電子装置のプロセッサによって、前記電子装置の近接センサーから獲得されたデータに少なくとも基づいて、ユーザの近接通話を開始する動作を認識する動作と、及びプロセッサによって、前記ガスセンサーが前記近接通話の開始動作が認識される前に獲得したデータ又は前記近接通話の終了動作が認識された後に獲得したデータのうちの少なくとも一つに基づいて、外部空気の清浄度を計算する動作と、を含む。
【０１５１】
本発明の多様な実施形態による、電子装置を動作させる方法は、前記電子装置の無線通信モジュールを介して外部装置と通信するうちに、前記電子装置のプロセッサによって、前記電子装置の近接センサーから獲得されたデータに少なくとも基づいて、ユーザの近接通話を開始する動作と、及びプロセッサによって、前記電子装置のガスセンサーが前記近接通話の開始動作が認識された後に獲得したデータに少なくとも基づいて、ユーザの健康状態を測定する動作と、を含む。
【０１５２】
前記測定動作は、前記プロセッサによって、前記ガスセンサーが前記近接通話の開始動作が認識された後、そして前記近接通話の終了動作が認識される前に獲得したデータに基づいて、ユーザの健康状態を測定する動作を含む。
【０１５３】
本発明の上述した実施形態のうちの一部はハードウェアやファームウェアで具現される。本発明の上述した実施形態のうちの一部は記録媒体に記憶されることができるソフトウェアやコンピューターコードを介して具現される。ここで、コンピューターコードは例えば、ＣＤ  ＲＯＭ、ＤＶＤ（Ｄｉｇｉｔａｌ  Ｖｅｒｓａｔｉｌｅ  Ｄｉｓｃ）、ＤＶＤ（Ｄｉｇｉｔａｌ  Ｖｅｒｓａｔｉｌｅ  Ｄｉｓｃ）、磁気テープ、ＲＡＭ、フロッピーディスク、ハードディスク、又は光磁気ディスクに記憶される。また、コンピューターコードは遠隔記録媒体又は非一時的機械読み取り可能な媒体からネットワークを介してダウンロードされてローカル記録媒体に記憶されることもできる。ここに説明した方法は汎用コンピューター又は特定目的のプロセッサを用い、記録媒体に記憶されたソフトウェアを介してレンダリング（ｒｅｎｄｅｒｉｎｇ）される。ここに説明した方法は、プログラム可能な又は専用ハードウェア（例えば、ＡＳＩＣ又はＦＰＧＡ）でレンダリングされることもできる。当該技術分野で理解されるように、コンピューター、プロセッサ、マイクロプロセッサ制御機又はプログラム可能ハードウェアは、ＲＡＭ、ＲＯＭ、フラッシュなどのようなメモリーコンポネントを含む。メモリーコンポネントは、コンピューター、プロセッサ、又はハードウェアによってアクセスされて実行される時、上述した方法を具現するソフトウェアやコンピューターコードを記憶又は受信する。
【０１５４】
本明細書及び図面に開示した本発明の実施形態は本発明の実施形態による技術内容を容易に説明し、本発明の実施形態の理解を助けるために特定例を提示したものであって、本発明の実施形態の範囲を限定しようとするのではない。したがって、本発明の多様な実施形態の範囲はここに開示した実施形態以外にも本発明の多様な実施形態の技術的思想に基づいて導出されるすべての変更又は変形された形態が本発明の多様な実施形態の範囲に含まれると解釈されなければならない。
【符号の説明】
【０１５５】
１００  ネットワーク環境
１０１、１０２、１０４、４００、５００  電子装置
１０８  サーバー
１２０  プロセッサ
１２１  メインプロセッサ
１２３  補助プロセッサ
１３０  メモリー
１３２  揮発性メモリー
１３４  非揮発性メモリー
１３６  内装メモリー
１３８  外装メモリー
１４０  プログラム
１４２  オペレーティングシステム
１４４  ミドルウェア
１４６  アプリケーション
１５０  入力装置
１５５  音響出力装置
１６０  表示装置
１７０  オーディオモジュール
１７６  センサーモジュール
１７７  インターフェース
１７８  接続端子
１７９  ハプティックモジュール
１８０  カメラモジュール
１８８  電力管理モジュール
１８９、５５０  バッテリー
１９０  通信モジュール
１９２  無線通信モジュール
１９４  有線通信モジュール
１９６  加入者識別モジュール
１９７  アンテナモジュール
１９８  第１ネットワーク
１９９  第２ネットワーク
２００、３００  ブロック図
２１０  オーディオ入力インターフェース
２２０  オーディオ入力ミキサー
２３０  ＡＤＣ
２４０  オーディオ信号処理機
２５０  ＤＡＣ
２６０  オーディオ出力ミキサー
２７０  オーディオ出力インターフェース
３０１  アプリケーションマネージャー
３０３  ウィンドウマネージャー
３０５  マルチメディアマネージャー
３０７  リソースマネージャー
３０９  パワーマネージャー
３１１  データベースマネージャー
３１３  パッケージマネージャー
３１５  コネクティビティマネージャー
３１７  ノーティフィケーションマネージャー
３１９  ロケーションマネージャー
３２１  グラフィックマネージャー
３２３  セキュリティマネージャー
３２５  通話マネージャー
３２７  音声認識マネージャー
３５１  ホーム
３５３  ダイヤラー
３５５  ＳＭＳ／ＭＭＳ
３５７  ＩＭ
３５９  ブラウザー
３６１  カメラ
３６３  アラーム
３６５  コンタクト
３６７  音声認識
３６９  電子メール
３７１  カレンダー
３７３  メディアプレーヤー
３７５  アルバム
３７７  ウォッチ
３７９  ヘルス
３８１  環境情報
４０１、５３０  ディスプレー
４０２、５２０  前面プレート
４０３、４２１  マイクホール
４０４、４１９  センサーモジュール
４０５、４１２、４１３  カメラモジュール
４０６  インジケーター
４０７、４１４  オーディオモジュール
４０８、４０９  コネクターホール
４１０  ハウジング
４１０Ａ  第１面
４１０Ｂ  第２面
４１０Ｃ  側面
４１１、５８０  後面プレート
４１５、４１６、４１７  キー入力装置
４１８、５１０  側面ベゼル構造物
５１１  第１支持部材
５４０  印刷回路基板
５６０  第２支持部材
５７０  アンテナ
６００、７００、８００  構造物
６１０、７１０、８１０  ベゼル構造物
６１１  側面
６１２、７１２  ホール
６１２ａ、７１２ａ  外部オープニング
６１２ｂ，７１２ｂ  第１内部オープニング
６１２ｃ，７１２ｃ  第２内部オープニング
６１２ｄ，７１２ｄ  第１通路
６１２ｅ，７１２ｅ  第２通路
６１２ｆ  第３通路
６１３、８１７  後面
６１４  前面
６２０  マイク
６２１、６３１ａ、７２１、７３１、８２１、８３１  オープニング
６３０，７３０、８３０  ガスセンサー
６４１、６４２、６４３，７４１、７４２、８４１、８４２、８４３  付着部材
６５１、６５２，７５０、８５０  防水膜
６６１、６６２  ＰＣＢ
６６１ａ  ビア
６７０  ＦＰＣＢ
６８０、７６０  内部空間
７１１、８１１  上面
７１３  後面
７２０、８２０  レシーバー
８１２  第１ホール
８１３  第２ホール
８１４  第３ホール
８１５  通路
８６０  遮蔽シート
【図１】
2019103145.tif 000004
【図２】
2019103145.tif 000005
【図３】
2019103145.tif 000006
【図４】
2019103145.tif 000007
【図５】
2019103145.tif 000008
【図６】
2019103145.tif 000009
【図７】
2019103145.tif 000010
【図８】
2019103145.tif 000011
【図９】
2019103145.tif 000012
【図１０】
2019103145.tif 000013
【図１１】
2019103145.tif 000014
【図１２】
2019103145.tif 000015
【図１３】
2019103145.tif 000016
【図１４】
2019103145.tif 000017
【図１５】
2019103145.tif 000018
【図１６】
2019103145.tif 000019
【図１７】
2019103145.tif 000020